(57)【特許請求の範囲】
【請求項１】
半導体部品が実装された主回路基板等を収容する本体部を有する電子機器と、前記電子機器に着脱可能で電気的に接続して、前記電子機器の機能を拡張する拡張ユニットにおいて、
前記電子機器もしくは前記拡張ユニットのいずれか一方に、ガイド方向に可動に取付けられたガイド機構を設け、前記電子機器と前記拡張ユニットとを電気的に接続するためのコネクタ同士が結合されるドッキング位置まで他方をガイドすると共に、
前記電子機器もしくは前記拡張ユニットのいずれか一方に凹形状を設け、
他方のガイド機構には、前記ガイド機構の可動を規制するロック機構を設け、
前記凹形状と前記ガイド機構の位置が一致したときのみ、前記ロック機構が解除され、前記電子機器もしくは前記拡張ユニットに接触してから、電気的に接続するためのコネクタ同士が結合されるドッキング位置まで、前記ガイド機構が可動することを特徴とするガイド機構を有する電子機器及び拡張ユニット。
【発明の詳細な説明】
【０００１】
【発明の属する技術分野】
本発明はワープロや携帯型パーソナルコンピュータ等の電子機器、及び当該電子機器に電気的に接続して、当該電子機器の機能を拡張する拡張ユニットに関し、詳しくはそれぞれのコネクタ同士を接続位置にガイドするガイド機構を有する電子機器及び拡張ユニットに関する。
【０００２】
【従来の技術】
従来、ワープロや携帯型のパーソナルコンピュータ等の電子機器では、機能を拡張する拡張ユニットとの間で、電気的な接続をするコネクタ間には、ドッキング時のコネクタの位置ずれによる不要な破壊的ストレスを与えることを防止するため、ドッキング前にコネクタ間の位置を補正してガイドする種々の対策がとられている。
【０００３】
図５に従来のガイド機構を有する電子機器であるパーソナルコンピュータとその拡張ユニットを示す外観斜視図である。図において、４０はパーソナルコンピュータ、４１は主回路基板（図示せず）が収納されるパーソナルコンピュータ４０の本体部で、本体部４１の底面には、主回路基板に実装され拡張ユニットと電気的に接続するための本体側コネクタ４２が出ている。また、３０は拡張ユニットであり、パーソナルコンピュータ４０と電気的に接続するための拡張ユニット側コネクタ３１と、パーソナルコンピュータ４０の本体側コネクタ４２をドッキング位置までガイドするガイドピン３２が、拡張ユニット側コネクタ３１の近傍に設けられている。また、パーソナルコンピュータ４０の本体部４１の底面には、ガイド穴４３が、ガイドピン３２が入るように設けられている。
【０００４】
これにより、パーソナルコンピュータ４０と拡張ユニット３０は、ガイドピン３２とガイド穴４３によって、コネクタ間の位置を補正してドッキング位置までガイドされ、パーソナルコンピュータ４０の本体側コネクタ４２と拡張ユニット３０の拡張ユニット側コネクタ３１が、結合し電気的に接続される。
【０００５】
このように、正しい位置にガイドされた後、コネクタ同士が接続するため、ドッキング時の不要な破壊的ストレスが防止される。
【０００６】
【発明が解決しようとする課題】
前述した従来のガイド機構を有する電子機器及び拡張ユニットでは、電子機器本体と拡張ユニットとのガイド機構は、コネクタの近傍に設けられており、電子機器本体と拡張ユニットが大きく位置がズレた場合は、ガイド機構であるガイドピンが、電子機器本体もしくは拡張ユニットに接触し、ガイドピンや電子機器本体もしくは拡張ユニットの外観に傷や不要な破壊的ストレスを与えることがあった。さらに、正しい位置にガイドするにはガイド量を多くとる必要があるが、ピンは固定されているため、ピンを長くすれば相手側のガイド穴の深さを深くしなければならない。しかしながら携帯型の電子機器は近年薄型化が要求されており、ガイド穴を深くすることは困難だった。このため、ガイド量は少なく、電子機器の外形の一部を利用するなど、別のガイド機構を必要としていた。また、ドッキング時にガイド機構による不要な電磁波が放射され、電子機器や拡張ユニット内の半導体部品が実装された主回路基板等に誤動作を発生させる原因ともなっていた。
【０００７】
本発明は、電子機器本体と拡張ユニットとのドッキング位置が一致したときのみ、ガイドピンを可動可能とし、ドッキング位置まで、充分なガイド量を確保し、かつ、ガイド機構が電子機器本体と拡張ユニットとの間の電気的に安定した導通がとられ、放射される電磁波を低減することを目的とする。
【０００８】
【課題を解決するための手段】
この課題を解決するために本発明は、半導体部品が実装された主回路基板等を収容する本体部を有する電子機器と、前記電子機器に着脱可能で電気的に接続して、前記電子機器の機能を拡張する拡張ユニットにおいて、前記電子機器もしくは前記拡張ユニットのいずれか一方に、ガイド方向に可動に取付けられたガイド機構を設け、前記電子機器と前記拡張ユニットとを電気的に接続するためのコネクタ同士が結合されるドッキング位置まで他方をガイドすると共に、前記電子機器もしくは前記拡張ユニットのいずれか一方に凹形状を設け、他方のガイド機構には、前記ガイド機構の可動を規制するロック機構を設け、前記凹形状と前記ガイド機構の位置が一致したときのみ、前記ロック機構が解除され、前記電子機器もしくは前記拡張ユニットに接触してから、電気的に接続するためのコネクタ同士が結合されるドッキング位置まで、前記ガイド機構が可動する構成したものである。
【０００９】
これにより、電子機器本体と拡張ユニットとがドッキング時の不要な破壊的ストレスを与えることなくコネクタ間の位置を補正し、コネクタ同士が結合されるまで多くのガイド量が得られ、さらに、電子機器本体と拡張ユニットとの間のフレームグランドが強化され、放射される電磁波を低減する効果が得られる。
【００１０】
【発明の実施の形態】
本発明は、半導体部品が実装された主回路基板等を収容する本体部を有する電子機器と、前記電子機器に着脱可能で電気的に接続して、前記電子機器の機能を拡張する拡張ユニットにおいて、前記電子機器もしくは前記拡張ユニットのいずれか一方に可動に取付けられたガイド機構を設け、前記電子機器と前記拡張ユニットとを電気的に接続するためのコネクタ同士が結合されるドッキング位置まで他方をガイドすると共に、前記電子機器もしくは前記拡張ユニットのいずれか一方に凹形状を設け、他方のガイド機構には、前記ガイド機構の可動を規制するロック機構を設け、前記凹形状と前記ガイド機構の位置が一致したときのみ、前記ロック機構が解除され、前記電子機器もしくは前記拡張ユニットに接触してから、電気的に接続するためのコネクタ同士が結合されるドッキング位置まで、前記ガイド機構が可動することを特徴とするガイド機構を有する電子機器及び拡張ユニットであり、電子機器本体と拡張ユニットとが電気的に接続するためのコネクタが結合されるためのガイド量を多くとることができると共に、電気的に接続するコネクタ同士が結合されるドッキング位置が一致したときにロック機構が解除され、ガイド機構が可動して、さらにドッキングまでガイドする量が多くとれるため、コネクタ間を安定して確実に結合させられるという作用を有する。
【００１１】
本発明の拡張ユニットにおけるガイド機構は、電気的な導通を有する金属などの材料で形成され、電子機器と拡張ユニットとの間で、電気的導通が可能とした構成を採用することができる。この構成を採用することにより、電子機器と拡張ユニットとの間のフレームグランドである筐体間を安定して接触させることができる。
【００１２】
以下、本発明の実施の形態について、図１から図３を用いて説明する。
【００１３】
（実施の形態１）
図１はガイド機構を有する電子機器である携帯型のパーソナルコンピュータと拡張ユニットを示す外観斜視図であり、図２はそれらの断面図、図３はガイドピン部の組み立て斜視図、図４は動作を示す断面図である。図において、１は半導体部品が実装された主回路基板３が収納されるパーソナルコンピュータ、２はパーソナルコンピュータ１の本体部、６はヒンジ部７で本体部２に回転可能に取付けられ、液晶表示装置（図示せず）が収納される表示部である。本体部２の底面には、電気的に接続するための本体側コネクタ４が主回路基板３に実装されている。
【００１４】
１０は拡張ユニットであり、パーソナルコンピュータ１と電気的に接続するための拡張ユニット側コネクタ１１と、パーソナルコンピュータ１の本体側コネクタ４をドッキング位置までガイドするガイドピン１２が、拡張ユニット１０の上部筐体１０ａから飛び出すように設けられている。拡張ユニット１０の上部筐体１０ａと下部筐体１０ｂは、電磁波を低減するため金属メッキなどの対策がとられており、さらに、アース金具１３は、ガイドピン１２が可動した際に接触するように下部筐体１０ｂに取り付けられている。
【００１５】
ガイドピン１２は、可動にするためのバネ１４により押し上げられるように付勢されている。さらに、ガイドピン１２の外周には、解除ピン１５がスライド可能に設けられ、ガイドピン１２の軸上に設けられた溝１２ａには、Ｕ字解除バネ１６が入り込んでいる。
【００１６】
取付け金具１８は、上部筐体１０ａにネジ１９で固定されており、Ｕ字解除バネ１６が取付け金具１８によってガイドピン１２の軸に対して垂直方向にのみ可動するようになっている。解除ピン１５は、解除ピンバネ１７によって、押し上げられるように付勢されている。
【００１７】
拡張ユニット側コネクタ１１は、拡張ユニット１０の半導体部品が実装されている主回路基板２０上に実装されており、主回路基板２０は、下部筐体１０ｂのフレームグランドに接触するように取付けられている。また、パーソナルコンピュータ１の本体部２の底面には、ガイドピン１２が入るようにガイド穴５が設けられている。さらに、パーソナルコンピュータ１の本体部２の下部筐体２ａは、電磁波を低減するため金属メッキなどの対策がとられており、ガイド穴５の凹部に電気的に導通するアース面５ａを構成している。
【００１８】
以上のように構成されたパーソナルコンピュータ及び拡張ユニットにおいて、以下その動作について図４を用いて説明する。図４（ａ）は、拡張ユニット１０のガイドピン１２がパーソナルコンピュータ１のガイド穴５の凹部に入り、解除ピン１５とガイド穴５の凹部入口面２ｂとが接触した状態であり、ガイドピン１２の軸上に設けられた溝１２ａには、Ｕ字解除バネ１６が入り込んでいるため、上下方向に可動していない。
【００１９】
図４（ｂ）は、パーソナルコンピュータ１がさらに移動した状態の位置である。解除ピン１５が上下方向に可動され、解除ピン１５の斜面１５ａを滑るようにしてＵ字解除バネ１６がガイドピン１２の軸に対して垂直方向に押し広げられる。そして、さらに押し広げられると、ガイドピン１２の軸上に設けられた溝１２ａからＵ字解除バネ１６が外れると、ガイドピン１２はロックが解除されるため、上下方向に可動可能となる。ここで、ガイドピン１２のロックを解除するには、パーソナルコンピュータ１のガイド穴５の凹部深さを、拡張ユニット１０の解除ピン１５によってガイドピン１２のロックが解除されるまでの移動量と、解除ピン１５からのガイドピン１２の凸量との和以上にしておけばよい。
【００２０】
図４（ｃ）は、パーソナルコンピュータ１の本体側コネクタ４と拡張ユニット１０の拡張ユニット側コネクタ１１が結合されたドッキング位置であり、電気的に接続し導通した状態にある。ガイドピン１２は、バネ１４のバネ力により押し上げられていたが、バネが縮み、ガイドピン１２は完全に押し下げられる。また、ガイドピン１２は、パーソナルコンピュータ１のガイド穴５の凹部のアース面５ａに接触し、かつ、ガイドピン１２の先端が拡張ユニット１０のアース金具１３とも接触する。
【００２１】
これにより、パーソナルコンピュータ１と拡張ユニット１０は、ガイドピン１２及び解除ピン１５とガイド穴５が、ドッキングの位置が一致したときのみ、多くのガイド量を得て結合することができ、かつ、電気的導電材料で構成されたガイドピン１２は、パーソナルコンピュータ１と拡張ユニット１０のフレームグランド間を安定して電気的導通をするため、電磁波によるパーソナルコンピュータ１や拡張ユニット１０の半導体部品が実装された主回路基板に誤動作などの影響を抑えることができる。
【００２２】
【発明の効果】
以上のように本発明によれば、ドッキング位置が一致したときのみ、多くのガイド量を移動することができ、安定して確実にパーソナルコンピュータと拡張ユニットをドッキングすることができる。さらに、安定して確実に電気的導通をとることができるため、他にアース機構を必要としないで、電磁波による電子機器や拡張ユニットの半導体部品が実装された主回路基板に誤動作などの影響を与えにくくする効果が得られる。
【図面の簡単な説明】
【図１】  本発明の一実施の形態によるガイド機構を有する電子機器及び拡張ユニットを示す外観斜視図
【図２】  本発明の一実施の形態によるガイド機構を有する電子機器及び拡張ユニットを示す断面図
【図３】  本発明の一実施の形態の拡張ユニットのガイドピン部の組み立て斜視図
【図４】  本発明の一実施の形態によるガイド機構を有する電子機器及び拡張ユニットの動作を示す断面図
【図５】  従来のガイド機構を有する電子機器及び拡張ユニットを示す外観斜視図
【符号の説明】
１  パーソナルコンピュータ
２  本体部
４  本体側コネクタ
５  ガイド穴
１０  拡張ユニット
１１  拡張ユニット側コネクタ
１２  ガイドピン
１５  解除ピン
１６  Ｕ字解除バネ
【図１】
0004081876.tif 000002
【図２】
0004081876.tif 000003
【図３】
0004081876.tif 000004
【図４】
0004081876.tif 000005
【図５】
0004081876.tif 000006